(57)【特許請求の範囲】
【請求項１】
複数の移動枠からなるレンズ鏡筒において、
光軸方向に移動する第１の移動枠と、
この第１の移動枠の移動範囲より少ない範囲で光軸方向に移動する第２の移動枠と、
上記第１の移動枠に設けられ、この第１の移動枠の光軸方向への移動に連動させて上記第２の移動枠を移動させる連動手段と、
レンズを有し、上記第１の移動枠とは独立して光軸方向に移動する第３の移動枠と、
を具備し、
上記第２の移動枠は、光軸の一方向へは上記第１の移動枠の移動に連動して移動し、光軸の他方向へは上記第３の移動枠に押圧されて該第３の移動枠の移動に連動して移動することを特徴とするレンズ鏡筒。
【請求項２】
上記第１の移動枠の移動範囲は、上記第１の移動枠に連動させて上記第２の移動枠を移動させる連動範囲と、上記第２の移動枠を上記第１の移動枠に連動させない非連動範囲とからなることを特徴とする請求項１に記載のレンズ鏡筒。
【請求項３】
上記第１の移動枠は、撮影光学系の一部を備えたレンズ鏡枠であり、
上記第２の移動枠は、上記撮影光学系を透過する光量を機械的に制御する光量調整装置を具備していることを特徴とする請求項１に記載のレンズ鏡筒。
【請求項４】
上記複数の移動枠が所定の撮影位置に繰り出される状態と、上記複数の移動枠がレンズ鏡筒内の所定の非撮影位置に収納される状態との少なくとも二つの状態に変化し得るように構成された沈胴式のレンズ鏡筒であって、
上記第１の移動枠は、非撮影位置から撮影位置までの範囲内のみで移動することを特徴とする請求項１に記載のレンズ鏡筒。
【請求項５】
上記連動手段は、上記第２の移動枠が光軸方向のみに移動し得るよう規制する規制手段でもあることを特徴とする請求項１に記載のレンズ鏡筒。
【請求項６】
略円筒形状からなり、上記第２の移動枠を内部に支持する固定枠と、
上記第２の移動枠の光軸方向への一方向の移動を規制して、所定の撮影位置における上記第２の移動枠の位置決めを行なう位置規制手段と、
をさらに具備し、
上記第２の移動枠は、上記撮影位置において上記位置規制手段と上記連動手段によって、その位置が保持されるよう構成されていることを特徴とする請求項１に記載のレンズ鏡筒。
【請求項７】
上記位置規制手段は、上記固定枠の内部に一体に設けられた突部と、上記第２の移動枠と一体に設けられ上記突部に係合する鉤状部とからなることを特徴とする請求項６に記載のレンズ鏡筒。
【請求項８】
上記連動手段は、弾性を有する部材によって形成されていることを特徴とする請求項６に記載のレンズ鏡筒。
【請求項９】
上記第３の移動枠は、上記第２の移動枠を光軸方向のみに移動し得るように移動方向を規制する移動方向規制手段を備えていることを特徴とする請求項１に記載のレンズ鏡筒。
【発明の詳細な説明】
【０００１】
【発明の属する技術分野】
この発明は、レンズ鏡筒、詳しくは撮影レンズ群等を保持する複数の移動枠が光軸方向に各別に移動することによって異なる二つの状態となる撮影レンズ沈胴式あるいは二焦点式カメラ・マクロ機能付きカメラ等に使用されるレンズ鏡筒に関するものである。
【０００２】
【従来の技術】
例えば銀塩フイルムを使用して写真撮影等を行なう一般的な小型カメラや、ＣＣＤ等の撮像手段から出力される画像信号・画像情報等を記録する電子スチルカメラ（Electronic Still Camera；以下、電子カメラという。）等の写真撮影装置等（以下、両者をカメラ等と総称する）は、通常の場合、携帯して使用されるのが普通である。したがって、カメラ等を小型化することによって、その携帯性を向上させることが設計の重要な点となる。
【０００３】
上記カメラ等を構成する構成部材のうち、撮影光学系を光軸方向に移動可能に保持する複数のレンズ鏡枠等からなるレンズ鏡筒の占める体積・重量は大きな部分を占めるものである。したがって、レンズ鏡筒自体を小型化することは、カメラ等の小型化及び携帯性の向上に大きく貢献することができることとなる。
【０００４】
一方、近年においては、カメラ等に使用される撮影光学系としては、焦点距離を連続的に変更させることのできる、いわゆる変倍撮影光学系（以下、ズームレンズという）が多く利用されていると共に、変倍率（ズーム比）の高倍率化の要求が高まっている。
【０００５】
しかし、ズームレンズレンズ鏡筒を構成するためには、多数の撮影レンズやこれらを保持する多数のレンズ鏡枠等が必要となるので、その構成部材が増大し、ズームレンズ鏡筒の小型化を阻害する原因となる。さらに、ズームレンズの高倍率化を実現するためには、レンズ鏡筒がより大型化する傾向となる。
【０００６】
そこで、ズームレンズを採用しながらカメラ等の携帯性等を向上させるために、例えば撮影レンズ沈胴式等の様々な手段が提案され、また実用化されている。この撮影レンズ沈胴式のレンズ鏡筒を有するカメラ等は、複数のレンズ鏡枠をそれぞれ移動させて二つの状態、即ち写真撮影等を行ない得る撮影状態と携帯時等の非撮影状態（沈胴状態）との二つの状態に変化させることのできるレンズ鏡筒を有するものである。
【０００７】
このようなカメラ等においては、撮影時には、レンズ鏡筒の一部がカメラ本体から前面側に突出した状態（撮影状態）となる一方、携帯時等の非撮影時には、レンズ鏡筒を構成する複数のレンズ鏡枠をそれぞれ各別に移動させて、各レンズ鏡枠の間隔を近付けると共に、レンズ鏡筒自体もカメラ本体の内部に収納する（沈胴状態）ようにしている。
【０００８】
そして、この撮影レンズ沈胴式のカメラ等では、非撮影時においては、レンズ鏡筒の内部に収納される複数のレンズ鏡枠等のうち、隣接するレンズ鏡枠の間隔を出来る限り近付けるように配置して、撮影光学系の全長を短くなるように設定することが必要となる。
【０００９】
一方、このような撮影レンズ沈胴式のカメラ等とは別に、複数のレンズ鏡枠等の移動枠を移動させて二つの状態とするようにしたレンズ鏡筒は、例えば二つの焦点距離を切り換えることのできる、いわゆる二焦点式のものや、通常撮影の際の合焦距離領域と、これより短い合焦距離にある撮影領域でのマクロ撮影とを切り換えて使用する、いわゆるマクロ切換式のもの等がある。これらのレンズ鏡筒においては、光軸方向に移動する複数の移動枠毎に、それぞれ移動機構を設けるようにしたレンズ鏡筒が、従来より種々実用化されている。
【００１０】
他方、従来のレンズ鏡筒において、その内部に配設される撮影光学系以外の他の部材、例えばシャッタ機構・絞り機構等の構成部材は、レンズ鏡枠等に一体に配設したり、レンズ鏡筒内部の所定の位置に固定する等によって配置されている。
【００１１】
また、従来のレンズ鏡筒においては、鏡筒内部を移動するレンズ鏡枠（移動枠）の光軸方向への移動をガイドすると共に、回転方向への移動を規制する移動規制部材として、複数のガイドシャフトが配置されている。
【００１２】
【発明が解決しようとする課題】
ところが、上述した従来の沈胴式等のカメラ等に使用されるレンズ鏡筒において、撮影光学系の全長をより短く構成するためには、上記複数のレンズ鏡枠等のうち光軸方向に移動する全ての移動枠を撮影時の所定位置から非撮影時の所定位置へそれぞれ各別に移動させる移動機構や、その回動動作を規制する規制部材等が必要となる。
【００１３】
この場合において、各移動枠の移動量やその動作は、それぞれが異なるものとなるので、各移動枠毎に独立した移動機構・規制部材等をそれぞれに設ける必要が生じる。したがって、これらカム機構等の移動機構等をレンズ鏡筒の内部に配置することによって生じる大型化や、機構の複雑化等に起因するレンズ鏡筒及びこれを使用するカメラの大型化の問題や、製造コストが増大してしまう等の問題が生じる。
【００１４】
そこで、このような問題を避けるために、従来においては、例えば撮影光学系の全長の短縮化に寄与することの低い移動枠には、専用の移動機構等を設けずに、同移動枠を移動させないようにする（固定してしまう）等の手段を用いている。このような手段によって、レンズ鏡筒の大型化を抑制する努力がなされているが、その効果は少ない。
【００１５】
一方、上述した従来の沈胴式・二焦点式・マクロ切換式等のカメラ等に使用されるレンズ鏡筒においては、鏡筒内部に配設される移動枠の移動機構等を簡素化することでレンズ鏡筒自体を小型化するために、上記シャッタ機構・絞り機構等の構成部材を、光学設計の見地からは必ずしも最適ではない位置に配置せざるを得ないという問題があった。
【００１６】
本発明は、上述した点に鑑みてなされたものであって、その目的とするところは、例えば沈胴式・二焦点式等の複数のレンズ鏡枠等を移動させて異なる二つの状態とするレンズ鏡筒において、複数のレンズ鏡枠等及びその移動機構等を簡素化することによって、小型化に寄与することのできるレンズ鏡筒を提供するにある。
【００１７】
また、鏡筒内部を移動するレンズ鏡枠（移動枠）等の移動規制部材としてのガイドシャフト等を特に配設せずに部品点数を削減することで、移動機構等の複雑化・大型化を抑制すると共に、製造コストの低減化に寄与することのできるレンズ鏡筒を提供することを目的とする。
【００１８】
そして、シャッタ機構・絞り機構等を固定せずに移動させ得ると共に、これらの機構等をレンズ鏡枠等とは独立させて構成することにより、これらを光学設計上からも最適な所定の位置に配置すると共に、レンズ鏡筒の大型化・複雑化を抑止することのできるレンズ鏡筒を提供することを目的とする。
【００１９】
【課題を解決するための手段】
上記目的を達成するために、第１の発明によるレンズ鏡筒は、複数の移動枠からなるレンズ鏡筒において、光軸方向に移動する第１の移動枠と、この第１の移動枠の移動範囲より少ない範囲で光軸方向に移動する第２の移動枠と、上記第１の移動枠に設けられ、この第１の移動枠の光軸方向への移動に連動させて上記第２の移動枠を移動させる連動手段と、レンズを有し、上記第１の移動枠とは独立して光軸方向に移動する第３の移動枠と、を具備し、上記第２の移動枠は、光軸の一方向へは上記第１の移動枠の移動に連動して移動し、光軸の他方向へは上記第３の移動枠に押圧されて該第３の移動枠の移動に連動して移動することを特徴とする。
【００２０】
また、第２の発明によるレンズ鏡筒は、上記第１の発明によるレンズ鏡筒において、上記第１の移動枠の移動範囲は、上記第１の移動枠に連動させて上記第２の移動枠を移動させる連動範囲と、上記第２の移動枠を上記第１の移動枠に連動させない非連動範囲とからなることを特徴とする。
【００２１】
そして、第３の発明によるレンズ鏡筒は、上記第１の発明によるレンズ鏡筒において、上記第１の移動枠は、撮影光学系の一部を備えたレンズ鏡枠であり、上記第２の移動枠は、上記撮影光学系を透過する光量を機械的に制御する光量調整装置を具備していることを特徴とする。
【００２２】
そして、第４の発明によるレンズ鏡筒は、上記第１の発明によるレンズ鏡筒において、上記複数の移動枠が所定の撮影位置に繰り出される状態と、上記複数の移動枠がレンズ鏡筒内の所定の非撮影位置に収納される状態との少なくとも二つの状態に変化し得るように構成された沈胴式のレンズ鏡筒であって、上記第１の移動枠は、非撮影位置から撮影位置までの範囲内のみで移動することを特徴とする。
【００２３】
そして、第５の発明によるレンズ鏡筒は、上記第１の発明によるレンズ鏡筒において、上記連動手段は、上記第２の移動枠が光軸方向のみに移動し得るよう規制する規制手段でもあることを特徴とする。
【００２４】
そして、第６の発明によるレンズ鏡筒は、上記第１の発明によるレンズ鏡筒において、略円筒形状からなり、上記第２の移動枠を内部に支持する固定枠と、上記第２の移動枠の光軸方向への一方向の移動を規制して、所定の撮影位置における上記第２の移動枠の位置決めを行なう位置規制手段と、をさらに具備し、上記第２の移動枠は、上記撮影位置において上記位置規制手段と上記連動手段によって、その位置が保持されるよう構成されていることを特徴とする。
【００２５】
第７の発明によるレンズ鏡筒は、上記第６の発明によるレンズ鏡筒において、上記位置規制手段が上記固定枠の内部に一体に設けられた突部と、上記第２の移動枠と一体に設けられ上記突部に係合する鉤状部とからなることを特徴とする。
【００２６】
第８の発明によるレンズ鏡筒は、上記第６の発明によるレンズ鏡筒において、上記連動手段が弾性を有する部材によって形成されていることを特徴とする。
【００２７】
そして、第９の発明によるレンズ鏡筒は、上記第１の発明によるレンズ鏡筒において、上記第３の移動枠は、上記第２の移動枠を光軸方向のみに移動し得るように移動方向を規制する移動方向規制手段を備えていることを特徴とする。
【００２８】
【発明の実施の形態】
以下、図示の実施の形態によって本発明を説明する。
図１・図２・図３は、本発明の一実施形態のレンズ鏡筒の主要構成部材を示す縦断面図であり、図４は、同レンズ鏡筒の主要部材の概略構成を示す分解斜視図である。また、図５・図６・図７・図８・図９は、同レンズ鏡筒を構成する主要構成部材毎に取り出してそれぞれ示す斜視図である。
【００２９】
なお、図５〜図８においては、図面の繁雑化を避けるために、撮影光学系である複数の撮影レンズ群は、その図示を省略している。また、図５・図７・図８では、一部を破砕して図示している。
【００３０】
本実施形態に示すレンズ鏡筒１は、電子スチルカメラ等に使用される撮影レンズ沈胴式のズームレンズ鏡筒を例にとって示すものである。
このレンズ鏡筒１は、被写体像を結像させる撮影光学系を形成する複数の撮影レンズ群（第１群〜第４群レンズ１１・２１・３１・４１）と、これら複数の撮影レンズ群を各別に保持する複数のレンズ鏡枠（第１〜第４レンズ鏡枠１０・２０・３０・４０）と、これら第１〜第４レンズ鏡枠１０・２０・３０・４０を光軸Ｏの方向に所定量だけ移動させる移動機構であるカム枠６０と、このカム枠６０を保持する固定枠５０と、ＡＦモータ６（図１〜図４では図示せず。図７参照）等が配設される第４群補助枠４５と、光量調整装置を保持するための第２の移動枠であるシャッタ・絞りユニット保持枠（以下、Ｓ枠と略称する）８０と、本レンズ鏡筒１をカメラ本体（図示せず）に取り付け、上記固定枠５０を支持すると共に、ＣＣＤ等の撮像素子４等が配設される取付枠７０等の複数の枠部材等によって構成されている。
【００３１】
ここで、上記第１〜第４レンズ鏡枠１０・２０・３０・４０及び第４群補助枠４５が光軸方向に移動する移動枠であり、このうち第１〜第４レンズ鏡枠１０・２０・３０・４０がレンズ鏡枠、第４群補助枠４５が補助枠である。
【００３２】
上記光量調整装置は、レンズ鏡筒１の内部に配設される撮影光学系を透過する光量を機械的に制御する装置であって、例えばシャッタ機構８０ａ・絞り機構８０ｂ等の各機構で構成される。
【００３３】
なお、上記レンズ鏡筒１を構成する主要枠部材の配置を簡単に説明すると、図４に示すように、先端側に配置される第１レンズ鏡枠１０の内部に固定枠５０・カム枠６０の順で係合している。この場合において、上記カム枠６０の内周面は、上記固定枠５０の外周面に接するようにして配置される。そして、固定枠５０の内部に第２〜第４レンズ鏡枠２０・３０・４０及びＳ枠８０・第４群補助枠４５（図４では図示せず）等の各移動枠が配置されている。そして、カメラ等の本体前面側に配設される取付枠７０が、上記第１レンズ鏡枠１０を外周側から支持している。
【００３４】
本実施形態のレンズ鏡筒１における撮影光学系は、上述したように複数（四群）の撮影レンズ群によって構成されており、同撮影レンズ群は、被写体側から第１群レンズ１１・第２群レンズ２１・第３群レンズ３１・第４群レンズ４１の順に配置されている。これらの第１〜第４群レンズ１１・２１・３１・４１は、それぞれ第１レンズ鏡枠１０・第２レンズ鏡枠２０・第３レンズ鏡枠３０・第４レンズ鏡枠４０によって各別に保持されている。
【００３５】
上記第１レンズ鏡枠１０は、図５に示すように略円筒形状の部材からなり、先端部には、略中央部に第１群レンズ１１を取り付けるための開口部１０ｅを有する保持部１０ｄが設けられている。
【００３６】
上記第１レンズ鏡枠１０の後端寄りの外周面には、二個のキー部１０ｃが角度略１８０度の間隔を置いた位置にそれぞれ外側に向けて突設されている。この二個のキー部１０ｃは、上記取付枠７０（図８も参照）の二本の腕部７０ａの内側にそれぞれ設けられたキー溝７０ｂと係合している。これにより、上記第１レンズ鏡枠１０は、回動方向への動作が規制されている。なお、上記腕部７０ａは、いわゆる片持ち梁を構成しており、所定の弾性力を有している。
【００３７】
一方、上記第１レンズ鏡枠１０の後端寄りの内周面には、三対の第１カムピン１０ａが角度略１２０度の間隔をおいた位置にそれぞれ内側に向けて突設されている。この三対の第１カムピン１０ａは、上記カム枠６０（図７も参照）の外周側に設けられている第１カム溝６０ａに係合している。
したがって、上記第１レンズ鏡枠１０は、カム枠６０が回動することによって光軸方向にのみ所定量だけ移動するようになっている。
【００３８】
他方、上記第１レンズ鏡枠１０の保持部１０ｄには、内側に向けてＳ枠８０を第１レンズ鏡枠１０に連動させて光軸方向に移動させる連動手段であるＳ枠吊８３及びＳ枠８０を光軸方向に摺動自在に支持する第４ガイドシャフト９４が光軸と平行に後方に向けて植設されている。
【００３９】
上記Ｓ枠吊８３の中程には、切欠部８３ａが設けられていて、同切欠部８３ａには、上記Ｓ枠８０（図６も参照）の突起部８０ｃが係合するようになっている。同時に、上記第４ガイドシャフト９４は、上記第２レンズ鏡枠２０（図５参照）の外周部に設けられた係合支持孔２０ｇを介して、Ｓ枠８０の挿通孔８０ｈに係合している。
【００４０】
したがって、上記第４ガイドシャフト９４は、上記第２レンズ鏡枠２０及び上記Ｓ枠８０を光軸方向に摺動自在に支持すると共に、両枠２０・８０の回動動作を規制する規制手段でとなっている。なお、図５・図６において、符号Ｄで示す二点鎖線は、上記第４ガイドシャフト９４が挿通される位置を示している。
【００４１】
さらに、上記第１レンズ鏡枠１０の保持部１０ｄの内側には、上記固定枠５０（図８も参照）の内側の後端部に一端部が植設された第２ガイドシャフト９２の他端部を回避する穴部１０ｂが穿設されている。なお、図５〜図８において、符号Ｂで示す二点鎖線は、上記第２ガイドシャフト９２が挿通される位置を示している。
【００４２】
上記第２レンズ鏡枠２０は、図５に示すように円板部材２０ｆと、光軸と平行となる方向であって後方に向けて延出される腕部２０ｂとが一体に形成されてなる第３の移動枠である。そして、上記円板部材２０ｆの略中央部には、上記第２群レンズ２１を取り付けるための開口部２０ｅが穿設されている。
【００４３】
上記第２レンズ鏡枠２０は、上記第１レンズ鏡枠１０の後方側の内部に配置されるようになっており、上述したように上記係合支持孔２０ｇには、上記第４ガイドシャフト９４が挿通されている。これによって、同第２レンズ鏡枠２０の回動方向への動作は規制されると共に、同枠２０を光軸方向へ摺動自在に支持している。
【００４４】
また、上記第２レンズ鏡枠２０の腕部２０ｂには、挿通孔２０ｈが設けられていて、同挿通孔２０ｈには、上記第２ガイドシャフト９２が挿通するようになっている。
【００４５】
そして、上記腕部２０ｂの外面部には、一対の第２カムピン２０ａが突設されており、この一対の第２カムピン２０ａは、上記カム枠６０（図７参照）の内周に設けられている第２カム溝６０ｂに係合している。したがって、上記第２レンズ鏡枠２０は、上記第２・第４ガイドシャフト９２・９４によって回動動作が規制されると共に、カム枠６０が回動することによって光軸方向にのみ所定量だけ移動するようになっている。
【００４６】
さらに、上記腕部２０ｂの内面部には、溝部２０ｃが設けられていて、この溝部２０ｃには、上記Ｓ枠８０（図６参照）の回転止部８０ｉが係合し、これにより、上記Ｓ枠８０の回動方向への動作を規制している。つまり、上記第２レンズ鏡枠２０の溝部２０ｃと上記Ｓ枠８０の回転止部８０ｉとによって、Ｓ枠８０の移動方向規制手段を形成している。
【００４７】
上記第２レンズ鏡枠２０の後方には、上記Ｓ枠８０が配設されている。このＳ枠８０は、図６に示すように略半円形状の板部材８０ｄからなる第２の移動枠である。上記板部材８０ｄには、シャッタ機構８０ａ・絞り機構８０ｂ（図６では図示せず。図１〜図３参照）や、シャッタプランジャ８１・絞りプランジャ８２（図１〜図３では図示せず。図６参照）等が、略中央部に穿設された開口部８０ｅを遮蔽しない位置に効率良く配設されている。また、上記Ｓ枠８０の外周部の下側寄りには、Ｕ溝８０ｇが設けられており、上記第２ガイドシャフト９２が係合される。
【００４８】
上記Ｕ溝８０ｇの近傍には、上記回転止部８０ｉが前方に向けて突設されていて、この回転止部８０ｉは、上述したように上記第２レンズ鏡枠２０の腕部２０ｂの溝部２０ｃに係合している。
【００４９】
そして、上述したように上記突起部８０ｃが第１レンズ鏡枠１０のＳ枠吊８３の切欠部８３ａに係合している。これにより上記Ｓ枠８０は、上記第１レンズ鏡枠１０の光軸方向への移動に連動して同方向に移動するようになっている。
【００５０】
また、上記Ｓ枠８０の外周部の上側寄りには、先端が鉤状に形成された角棒状のスラスト止部材８０ｆが光軸方向と平行に後方に向けて、上記板部材８０ｄと一体に配設されている。このスラスト止部材８０ｆは、上記Ｓ枠８０が上記第１レンズ鏡枠１０の移動に連動して沈胴状態から撮影位置に変化する場合において、同Ｓ枠８０のの光軸方向への移動量を所定量に規制する規制部材の役目をしている。
【００５１】
即ち、上記Ｓ枠が第１レンズ鏡枠１０に連動して光軸方向に移動すると、上記スラスト止部材８０ｆも同方向に移動する。すると、このスラスト止部材８０ｆの先端鉤部８０ｆａは、上記固定枠５０（図８参照）の後端部に内周側に向けて突設されたＳ枠ストッパ部５０ａに係止されるようになっている。
【００５２】
これにより、このＳ枠ストッパ部５０ａ及び上記スラスト止部材８０ｆは、上記Ｓ枠８０の光軸方向の一方向（前方への繰出方向）への移動量を規制し、撮影位置におけるＳ枠８０の位置決めを行なう位置規制手段としての役目をしている。なお、上記レンズ鏡筒１の第１・第２レンズ鏡枠１０・２０及びＳ枠８０の動作については、後述の図１３によって詳述する。
【００５３】
上記第３レンズ鏡枠３０は、図６に示すように略中央部に上記第３群レンズ３１を取り付けるための開口部３０ｅを有する略円筒形状の本体部材と、上部及び下部支持部材３０ｂ・３０ｃとが一体に形成されてなる移動枠である。下部支持部材３０ｃの先端部には、上記第２ガイドシャフト９２の直径と略同径のＵ溝３０ｄが設けられており、同Ｕ溝３０ｄに第２ガイドシャフト９２が係合している。これにより第２ガイドシャフト９２は、上記第３レンズ鏡枠３０の回転を規制している。
【００５４】
一方、上記第３レンズ鏡枠３０の上部支持部材３０ｂは、光軸Ｏと略直交する方向（上側）に配置される支持部３０ｂａと、この支持部３０ｂａの先端部に一体に形成され、光軸Ｏと略平行であって前方に延出するように設けられる腕部３０ｂｂとによって形成されている。この腕部３０ｂｂには、外方（上方）に向けて第３カムピン３０ａが突設されていると共に、第１ガイドシャフト９１を挿通支持する挿通孔３０ｆが穿設されている。これにより、第１ガイドシャフト９１は、第３レンズ鏡枠３０の光軸方向への移動をガイドしている。なお、図６において、符号Ａで示す二点鎖線は、上記第１ガイドシャフト９１が挿通される位置を示している。
【００５５】
他方、上記腕部材３０ｂの基部には、細筒の別部材からなる軸受手段であるスリーブ９５が固定されている。このスリーブ９５内には、上記第４レンズ鏡枠４０に植設される第３ガイドシャフト９３が挿通するようになっている。したがって、上記スリーブ９５を設けることによって、第３レンズ鏡枠３０に対する第４レンズ鏡枠４０の光学的な位置決めをより厳密に行わしめることができるようになっている。
【００５６】
また、上記スリーブ９５には、伸長性のコイルばね等の付勢部材９７が巻回されていると共に、上記スリーブ９５の一端部には、蓋部材９６が配設されている。これにより、付勢手段９７は、第４レンズ鏡枠４０を図６の矢印Ｘ方向に常に付勢する（詳細は後述する）。
【００５７】
上記第４レンズ鏡枠４０は、図７に示すように略中央部に第４群レンズ４１を取り付けるための開口部４０ｅを有する略円板形状の板部材と、上部及び下部支持部材４０ｂ・４０ｃとが一体に形成されてなる移動枠である。この下部支持部材４０ｃの先端部には、上記第３レンズ鏡枠３０と同様に第２ガイドシャフト９２の直径と略同径のＵ溝４０ｄが設けられており、同Ｕ溝４０ｄには、第２ガイドシャフト９２が係合される。これにより第２ガイドシャフト９２は、上記第４レンズ鏡枠４０の回転規制をしている。
【００５８】
一方、上記第４レンズ鏡枠４０の上部支持部材４０ｂには、光軸Ｏと略平行に前方に向けて第３ガイドシャフト９３が植設されている。上述したように第３ガイドシャフト９３は、スリーブ９５に挿通されて、第４レンズ鏡枠４０の光軸方向への移動をガイドしている。なお、図６・図７において、符号Ｃで示す二点鎖線は、上記第３ガイドシャフト９３が挿通される位置を示している。
【００５９】
上記第４レンズ鏡枠４０に植設される第３ガイドシャフト９３の近傍には、上記第４群補助枠４５に配設されるＡＦモータ６の回転軸６ａ（図７では図示せず。後述する図１０・図１１参照）が余裕を持って挿通される逃げ孔４０ａが穿設されている。
【００６０】
上記第４群補助枠４５は、上記第４レンズ鏡枠４０を移動させるＡＦモータ６等を保持し、このレンズ鏡筒１の内部を通過する光束を遮蔽しないように光軸Ｏから退避した位置に配置される移動枠である。この第４群補助枠４５には、上述したように上記ＡＦモータ６の回転軸６ａ（後述する図１０・図１１参照）が、光軸と略平行となる方向であって後方に向けて配置されている。
【００６１】
上記第４群補助枠４５の外周側には、腕部４５ｃと支持部４５ｅとが設けられている。この支持部４５ｅには、上方に向けて第４カムピン４５ａが突設されている。この第４カムピン４５ａは、上記カム枠６０の第４カム溝６０ｄに係合している。そして、上記支持部４５ｅには、第１ガイドシャフト９１を挿通支持する挿通孔４５ｆが穿設されていて、上記第４群補助枠４５は、第１ガイドシャフト９１に支持されていて、光軸方向に移動するようになっている。
【００６２】
ここで、図１０は、上記第４群補助枠４５と第４レンズ鏡枠４０、第４レンズ鏡枠４０と第３レンズ鏡枠３０の連結状態を概念的に示す断面図である。また、図１１は、上記第４群補助枠４５及びＡＦモータ６のみを取り出し、かつ第４群補助枠４５の一部を破砕して示す要部拡大斜視図である。
【００６３】
図１０・図１１に示すように、上記腕部４５ｃには、貫通溝４５ｇが穿設されている。この貫通溝４５ｇには、上記ＡＦモータ６の回転軸６ａに螺合されているナット４５ｄの突部４５ｄｄが係合している。これによって、上記ＡＦモータ６が回転するとナット４５ｄが光軸方向に移動されるようになっている。付勢部材９７によって蓋部材９６は、被写体方向に常に付勢される。蓋部材９６と一体にされた第３ガイドシャフト９３を通じて、第４レンズ鏡枠４０も同方向に付勢される。ここで、逃げ孔４０ａの外壁面がナット４５ｄの面に当接するので、第４レンズ鏡枠４０の位置が規制される。そして、ナット４５ｄを通じてＡＦモータ６によって、第４レンズ鏡枠４０の位置が決まる。これにより、上記ＡＦモータ６が回転駆動されると、上記第４レンズ鏡枠４０が移動し、所定の合焦動作を行なうようになっている。また、カム枠６０の回動により、第４レンズ鏡枠４０は、第４群補助枠４５のガイドピン４５ａを介して光軸方向に移動するようになっている。
【００６４】
一方、上記第４群補助枠４５の外周面上には、図７に示すようにガイド凸部４５ｂが突設されている。このガイド凸部４５ｂは、上記固定枠５０の内面側に配設された光軸と平行なガイド凹溝５０ｂに係合して、回転規制されている。
【００６５】
上記カム枠６０は、図７に示すように略円筒形状の部材によって形成され、上記各移動枠の所定の移動を行なわしめる移動機構を構成している。このカム枠６０の内周面及び外周面には、上記各レンズ鏡枠１０〜４０をそれぞれ所定量だけ光軸方向に移動させる得るように、各所定の形状及び条数のカム溝６０ａ・６０ｂ・６０ｃ・６０ｄがそれぞれ配設されている。
【００６６】
また、上記カム枠６０の後端部の外周面上には、ギアー部６０ｅが設けられている。このギアー部６０ｅには、ズームモータ５及び駆動力伝達部７等からなるカム枠駆動手段（図８・図９参照）が連結されている。
【００６７】
即ち、上記カム枠駆動手段は、図９の要部拡大斜視図に示すように、複数の歯車・遊星歯車機構等によって構成される駆動力伝達部７とズームモータ５とによって構成されている。このズームモータ５の出力軸が回転することで生じる駆動出力は、上記駆動力伝達部７を介してカム枠６０のギアー部６０ｅに伝達されるようになっており、これによって、カム枠６０を回動させ得るようになっている。なお、上記カム溝６０ａ・６０ｂ・６０ｃ・６０ｄの配置については、本発明に直接関係しないので、その詳細な説明は省略する。
【００６８】
上記固定枠５０は、図８に示すように先端にフランジ部５０ｄを有する略円筒形状からなり、上記カム枠６０の内側に配置される枠部材であり（図４も参照）、上記カム枠６０を保持し、同カム枠６０の光軸方向への移動を規制する役目をしている。
【００６９】
つまり、上記カム枠６０は、先端側を上記固定枠５０のフランジ部５０ｄに、後端側を上記取付枠７０の円板形状部７０ｃに、それぞれ挟持されるように配置されている。これによって、上記カム枠６０は、固定枠５０及び取付枠７０に対して固定支持される。
【００７０】
上記固定枠５０の内部には、光軸Ｏから退避した位置に、上記カム枠駆動手段（図９参照）が配置されている。このカム枠駆動手段は、上述したようにカム枠６０を回動させることにより同レンズ鏡筒１における所定の変倍動作（ズーミング）を行わしめる駆動力を発生させる駆動源であるズームモータ５と、遊星ギアー列等からなる駆動力伝達部７等によって構成されている。
【００７１】
また、上記固定枠５０の後端部には、上記第１及び第２ガイドシャフト９１・９２の一端が前方に向けて植設されており、また、後方から上記取付枠７０が取付ビス等の締結手段１０１によって固定される。
【００７２】
そして、上記固定枠５０の側部には、長孔形状の貫通孔５０ｃが穿設されている。この貫通孔５０ｃは、同固定枠５０の内部に配設される第３レンズ鏡枠３０・第４レンズ鏡枠４０にそれぞれ設けられた第３カムピン３０ａ・第４カムピン４５ａが貫通するようになっている。なお、図示されていないが上記貫通孔５０ｃとは、角度１８０度だけ離れた反対側の位置には、第２カムピン２０ａが貫通する略同形状の貫通孔が穿設されている。
【００７３】
上記取付枠７０は、略中央部に開口部を有する円板形状部７０ｃと、二本の腕部７０ａとが一体に形成されてなるものであり、本実施形態のレンズ鏡筒１をカメラ等（図示せず）に取り付ける連結手段ともなっている。つまり、この取付枠７０は、カメラ等の内部のフレーム（図示せず）に対して、取付ビス等の締結手段１０２によって取付固定されている。
【００７４】
そして、上述したように上記取付枠７０の腕部７０ａは、上記第１レンズ鏡枠１０を光軸方向に摺動自在に支持すると共に、回動方向への動作を規制する役目をしている。
【００７５】
上記取付枠７０の略中央部には、撮影光学系を透過した被写体光束から赤外光成分を取り除くＩＲカットフィルター９と、同ＩＲカットフイルター９を透過した被写体光束から高周波成分を取り除くローパスフイルター（以下、ＬＰＦという）８と、撮影光学系を透過した被写体像を形成する光束（以下、被写体光束ともいう）を電気信号に変換するＣＣＤ等の撮像素子４等が撮影光学系の光軸Ｏと直交する位置に被写体側から順に配設されている。
【００７６】
このような構成によって上述の六つの移動枠、即ち第１〜第４レンズ鏡枠１０・２０・３０・４０及びＳ枠８０・第４群補助枠４５は、移動機構としての上記カム枠６０を介してズームモータ５の駆動力を受けて移動される。さらに、第４レンズ鏡枠４０は、第４群補助枠４５に搭載されたＡＦモータ６によって移動する。そして、各移動枠は、それぞれ所定量だけ光軸方向に移動し、所定の位置に設定される。
【００７７】
以上のように構成された上記レンズ鏡筒１の各移動枠の動作を図１２によって、以下に説明する。
図１２は、本実施形態のレンズ鏡筒が各状態にあるときの各移動枠の位置関係を概念的に示す図であって、図１２（Ａ）は、非撮影時に各移動枠が格納位置にある沈胴状態を、図１２（Ｂ）は、各移動枠が撮影位置にあり、短焦点（広角；ワイド）位置にある状態（Ｗｉｄｅ状態）を、図１２（Ｃ）は、各移動枠が撮影位置にあり長焦点（又は望遠；テレ）位置にある状態（Ｔｅｌｅ状態）をそれぞれ示している。
【００７８】
まず、このレンズ鏡筒が図１２（Ａ）に示す沈胴状態（非撮影位置；格納位置）にあるときに、上記レンズ鏡筒１が配設されるカメラの主電源等がオン状態にされて、撮影モードに移行する。これに連動してズームモータ５が駆動されてカム枠６０が所定の回動動作を行なう。これにより、上記各移動枠が図１２（Ｂ）に示す撮影位置（短焦点位置）の所定の位置に配置される。この場合において、第１レンズ鏡枠１０及び第２レンズ鏡枠２０とＳ枠８０とが被写体方向に光軸に沿って移動するが、第３レンズ鏡枠３０・第４レンズ鏡枠４０・第４群補助枠４５は移動されない。
【００７９】
図１２（Ｂ）に示す撮影位置にあるときに、変倍（ズーミング）動作が行われると、各移動枠は、図１２（Ｂ）の短焦点位置と図１２（Ｃ）の長焦点位置との間において、光軸方向に移動する。ただし、この変倍動作時には、第１レンズ鏡枠１０・Ｓ枠８０は移動しない。また、このとき光軸方向に移動する第２レンズ鏡枠２０・第３レンズ鏡枠３０・第４レンズ鏡枠４０・第４群補助枠４５のうち、第２・第３レンズ鏡枠２０・３０は、ズーミング動作に寄与し、第４レンズ鏡枠４０・第４群補助枠４５は、合焦（フォーカシング）動作に寄与するために所定の動作が行われる。つまり、図１２（Ｂ）から図１２（Ｃ）までの領域にあるときには、第４レンズ鏡枠４０と第４群補助枠４５とは、他の移動枠とは異なる動作、即ち撮影光学系全体の焦点調節動作を行なう。
【００８０】
そして、図１２（Ｂ）から図１２（Ｃ）までの撮影領域にあるときに、撮影動作を終了させるためにカメラの主電源をオフ状態とすると、各撮影レンズ群は、図１２（Ｂ）の短焦点位置を経て図１２（Ａ）の格納位置へと移動して沈胴状態となる。
このようにして各撮影レンズ群は、上記カム枠６０の作用によって、それぞれ所定の移動がなされる。
【００８１】
次に、上記レンズ鏡筒１の第１・第２レンズ鏡枠１０・２０及びＳ枠８０の動作を図１３によって、さらに詳しく説明する。
図１３は、本実施形態のレンズ鏡筒における第１・第２レンズ鏡枠１０・２０及びＳ枠８０の動作を示す要部概略断面図であって、図１３（Ａ）は非撮影位置にあってレンズ鏡筒１の各移動枠が格納位置にある沈胴状態を、図１３（Ｂ）は撮影位置であって、撮影光学系が短焦点位置（広角位置）にある状態（Ｗｉｄｅ状態）をそれぞれ示している。
【００８２】
上記レンズ鏡筒１が図１３（Ａ）に示す沈胴状態（非撮影位置）から図１３（Ｂ）に示すＷｉｄｅ状態（撮影位置）に、その状態が変化する場合において、まず、上記第１・第２レンズ鏡枠１０・２０が、上述したようにカム枠６０（図１３では図示せず）の作用によって、それぞれ各別に前方に繰り出される。このとき第１レンズ鏡枠１０の内部に配設されたＳ枠吊８３も共に同方向に移動する。
【００８３】
つまり、上記Ｓ枠吊８３の切欠部８３ａには、上述したように上記Ｓ枠８０の突起部８０ｃが係合しているので、上記Ｓ枠吊８３が光軸方向の一方の方向である前方に向けて移動すると、上記突起部８０ｃは、切欠部８３ａの後端当接部８３ａａに当接する。これによって、上記Ｓ枠８０は、上記第１レンズ鏡枠１０に連動して所定量だけ同方向に移動する。
【００８４】
そして、上記Ｓ枠８０のスラスト止部材８０ｆの先端鉤部８０ｆａが上記固定枠５０（図１３では図示せず）のＳ枠ストッパ部５０ａに係止され、上記Ｓ枠８０は、所定の位置に配置される（図１３（Ｂ）参照）。
【００８５】
ここで、上記レンズ鏡筒１が沈胴状態からＷｉｄｅ状態となるまでの第１レンズ鏡枠１０の移動量が距離Ｘ１であり、上記Ｓ枠８０の所定の移動量は、上記第１レンズ鏡枠１０の移動量Ｘ１よりも少ない移動量（距離Ｘｓ）である。
【００８６】
上記第１レンズ鏡枠１０が移動を開始してから、上記Ｓ枠吊８３の後端当接部８３ａａがＳ枠８０の突起部８０ｃに当接するまでの間（距離Ｘ１−Ｘｓ）は、Ｓ枠８０は移動しない。この範囲が上記Ｓ枠８０が第１レンズ鏡枠１０の移動に連動しない非連動範囲である。
【００８７】
次に、当接部８３ａａが突起部８０ｃに当接し、Ｓ枠８０が第１レンズ鏡枠１０に連動して、上述したＷｉｄｅ状態の所定位置まで移動する。この移動範囲が連動範囲である。このように、上記第１レンズ鏡枠１０の移動量Ｘ１の範囲の一部に非連動範囲を設定することで、移動量Ｘ１と移動量Ｘｓの差を吸収している。
【００８８】
一方、上記レンズ鏡筒１が図１３（Ｂ）に示すＷｉｄｅ状態（撮影位置）から図１３（Ａ）に示す沈胴状態（非撮影位置）に、その状態が変化する場合においては、上記第１・第２レンズ鏡枠１０・２０が、カム枠６０の作用によって、それぞれ各別に後方に繰り込まれる。すると、上記第２レンズ鏡枠２０の後端部がＳ枠８０の前面部を押圧して、これを後方に押し戻す。これにより、上記Ｓ枠８０は、沈胴状態における所定の位置に配置されると共に、上記第１・第２レンズ鏡枠１０・２０もカム枠６０の駆動作用の停止によって、沈胴状態における所定の位置に配置される。
【００８９】
以上説明したように上記第１の実施形態によれば、Ｓ枠８０の移動範囲が第１レンズ鏡枠１０の移動範囲よりも少なくなるように設定されている場合においても、第１レンズ鏡枠１０が移動するときにＳ枠８０が連動しないようにした非連動範囲を設定するようにしたので、Ｓ枠８０を所定量だけ移動させるための専用の移動機構を不要とすることができる。したがって、レンズ鏡筒１自体の小型化及び製造コストの低減化に寄与することができる。
【００９０】
また、Ｓ枠８０は、第１レンズ鏡枠１０が非撮影位置から撮影位置に向けて移動する際には、同第１レンズ鏡枠１０に連動して同方向に移動し、撮影位置から非撮影位置に向けて移動する際には、第２レンズ鏡枠２０によって移動させるようにしたので、Ｓ枠８０を所定量だけ移動させるための専用の移動機構を不要とし、少なくとも撮影位置におけるＳ枠８０の位置決め精度を確保することができる。したがって、レンズ鏡筒１の構成部材数を削減することができ、よってレンズ鏡筒１自体の小型化及び製造コストの低減化に寄与することができる。
【００９１】
そして、Ｓ枠８０が撮影位置から非撮影位置に向けて移動する際には、同Ｓ枠８０の移動は、連動手段（Ｓ枠吊８３）によって規制され、Ｓ枠８０が非撮影位置から撮影位置に向けて移動する際には、同Ｓ枠８０の移動は、位置規制手段（Ｓ枠ストッパ部５０ａ及び上記スラスト止部材８０ｆ）によって所定の撮影位置に位置決め規制されるように構成したので、撮影位置におけるＳ枠８０を光軸に対して所定の設定位置に厳密に保持することができる。したがって、これによって、シャッタ機構８０ａ・絞り機構８０ｂ等の光量調整装置を光学的に最適な位置に配置することができ、撮影画像の劣化を抑制し、より鮮明な画像を得ることが容易にできる。
【００９２】
次に、本発明の第２の実施形態のレンズ鏡筒について、以下に説明する。
図１４は、本発明の第２の実施形態のレンズ鏡筒における第１・第２レンズ鏡枠及びＳ枠の動作を示す要部概略断面図である。この第２の実施形態は、基本的に上述の第１の実施形態と略同様の構成からなるものであり、上記連動手段の構成が異なる。したがって、上述の第１の実施形態と同様の構成部材については、詳細な説明は省略し、異なる部材についてのみ説明する。
【００９３】
上述の第１の実施形態においては、上述したように第１の移動枠である第１レンズ鏡枠１０の内部に、Ｓ枠吊８３（連動手段）と、第４ガイドシャフト９４（規制手段）とを配設し、上記Ｓ枠吊８３によって上記第２の移動枠であるシャッタ・絞りユニット保持枠（Ｓ枠）８０を上記第１レンズ鏡枠１０に連動させて光軸方向に移動させると共に、上記第４ガイドシャフト９４によって上記Ｓ枠８０を光軸方向に摺動自在に支持し、回動方向への動作を規制するようにしている（図１３等参照）。
【００９４】
本実施形態においては、上記連動手段であるＳ枠吊８３を除去し、同連動手段としての役目を、規制手段である上記第４ガイドシャフト９４Ａ（図１４参照）に兼ねさせるようにしている。
【００９５】
即ち、図１４に示すように本実施形態における第４ガイドシャフト９４Ａは、上述の第１の実施形態における第４ガイドシャフト９４と同様に、第１レンズ鏡枠１０の支持部に植設されており、同シャフト９４Ａには、第２レンズ鏡枠２０及びＳ枠８０が摺動自在に支持されている。
【００９６】
一方、同シャフト９４Ａの後端部には、Ｅリング等のストッパ部材９４ａが取り付けられるようになっていて、同シャフト９４ＡがＳ枠８０に穿設された挿通孔８０ｈを貫通した状態で、上記ストッパ部材９４ａが取り付けられている。
【００９７】
したがって、第１レンズ鏡枠１０が光軸方向に前方に向けて繰り出された場合には、これに連動して第４ガイドシャフト９４Ａも同方向に移動する。このとき、上記Ｓ枠８０も第４ガイドシャフト９４Ａのストッパ部材９４ａによって同方向に移動する。所定位置まで移動した後のＳ枠８０の後方方向の規制手段は、上述の第１の実施形態と同様にスラスト止部材８０ｆａがＳ枠ストッパ部５０ａに係止される（図１４では図示せず）。
【００９８】
他方、第１レンズ鏡枠１０が光軸方向に後方に向けて繰り込まれる場合には、Ｓ枠８０は、第１レンズ鏡枠１０に連動せず取り残されることとなるが、第２レンズ鏡枠２０が当接し、この第２レンズ鏡枠２０によって押し戻されることにより、沈胴状態における所定位置に移動する。
【００９９】
このような構成とすることにより本実施形態によれば、上述の第１の実施形態と略同様の効果を得ることができると共に、構成部材数を減少させ、構成を単純化することができる。したがって、生産工程の簡略化・製造コストの低減化に寄与することが容易にできる。
【０１００】
また、上述の第１の実施形態においては、上記Ｓ枠８０が第１レンズ鏡枠１０に連動して、非撮影位置から撮影位置に向けて光軸方向に移動する際に、同Ｓ枠８０のスラスト止部材８０ｆの先端鉤部８０ｆａが、上記固定枠５０のＳ枠ストッパ部５０ａに係止されることにより、上記Ｓ枠８０の光軸方向の一方向（前方への繰出方向）への移動量を規制し、撮影位置におけるＳ枠８０の位置決めを行なう位置規制手段を構成している。
【０１０１】
この場合において、上記Ｓ枠吊８３の後端当接部８３ａａに弾性を有するように構成すれば、上記Ｓ枠８０の位置決め精度をさらに厳密に行なわしめることができるものと考えられる。
【０１０２】
即ち、図１５、図１６は、本発明の第３の実施形態のレンズ鏡筒における第１・第２レンズ鏡枠及びＳ枠の動作を示す要部概略断面図であって、図１５は、本レンズ鏡筒が撮影位置に位置決めされる直前の状態を示し、図１６は、本レンズ鏡筒が撮影位置に位置決めされた状態を示している。なお、本実施形態においても、基本的には上述の第１の実施形態と略同様の構成からなるものであり、上記連動手段を弾性を有する部材により構成した点が異なる。したがって、上述の第１の実施形態と同様の構成部材については、詳細な説明を省略する。
【０１０３】
本実施形態のレンズ鏡筒１においては、Ｓ枠吊８３Ａの後端当接部８３ａａを弾性を有する部材によって形成している。この場合において、上記Ｓ枠８０が第１レンズ鏡枠１０に連動して、非撮影位置から撮影位置に向けて光軸方向に移動すると、同Ｓ枠８０が所定の撮影位置となる直前の状態、即ち上記Ｓ枠８０のスラスト止部材８０ｆの先端鉤部８０ｆａが、上記固定枠５０のＳ枠ストッパ部５０ａに当接する状態（図１５の状態）までは、図１５に示すように上述の第１の実施形態と全く同様の動作がなされる。
【０１０４】
上記スラスト止部材８０ｆの先端鉤部８０ｆａがＳ枠ストッパ部５０ａに当接し係止された状態において、さらに上記Ｓ枠８０を前方に向けて移動させる力量が加わると、図１６に示すように上記Ｓ枠吊８３Ａの後端当接部８３ａａは、自身の弾性力によって弾性変形し、Ｓ枠８０は、距離δ１だけさらに前方に移動される。この状態で、上記Ｓ枠８０の移動を停止させると、同Ｓ枠８０には、上記Ｓ枠吊８３Ａの後端当接部８３ａａの弾性力によって、光軸方向の一方向（前方への繰出方向；図１６の矢印Ｘ３方向）への力量が常に加えられることとなる。
【０１０５】
したがって、これによれば上記Ｓ枠８０のさらに厳密な位置決め精度を確保することができる。
なお、この場合において、上記Ｓ枠吊８３Ａの後端当接部８３ａａを弾性を有する部材としているが、これに限らず、例えば上記スラスト止部材８０ｆの先端鉤部８０ｆａ側を弾性を有する部材で構成しても、同様の効果を得ることができる。
【０１０６】
以上、各実施形態によって説明したように本発明は、厳密な位置決め精度を必要とする撮影レンズを保持するレンズ鏡枠以外であって、各機能を搭載する移動枠に対して適するものである。
【０１０７】
したがって、上述した各実施形態においては、第２の移動枠としてシャッタ・絞り装置等が配置されるシャッタ・絞りユニット保持枠について例示しているが、これに限らず、例えばＡＦモータ等を搭載する移動枠等に適用してもよい。
【０１０８】
また、本発明は、二つの異なる状態に変化するように構成されたレンズ鏡筒について適用し得るものである。したがって、上述の各実施形態においては、沈胴式のズームレンズ鏡筒に適用する場合を例示しているが、これに限らず、例えば二焦点式のレンズ鏡筒や、通常撮影とマクロ撮影とを切り換えるように構成されたレンズ鏡筒等に適用することも容易にできる。
【０１０９】
【発明の効果】
以上述べたように本発明によれば、沈胴式・二焦点式等の複数のレンズ鏡枠を移動させて異なる二つの状態とするレンズ鏡筒において、複数のレンズ鏡枠及びその移動機構を簡素化することによって、小型化に寄与することのできるレンズ鏡筒を提供することができる。
【０１１０】
また、レンズ鏡筒の内部を光軸方向に移動するレンズ鏡枠（移動枠）の移動方向規制部材としてのガイドシャフト等を特に配設せずに部品点数を削減し、よって移動機構の複雑化・大型化を抑制すると共に、製造コストの低減化に寄与することのできるレンズ鏡筒を提供することができる。
【０１１１】
そして、シャッタ機構・絞り機構等を固定せずに移動させ得ると共に、レンズ鏡枠等とは独立させて構成することによって、これらシャッタ機構・絞り機構等をカメラ等の内部の最適な所定の位置に配置すると共に、レンズ鏡筒の大型化・複雑化を抑止した移動機構を有するレンズ鏡筒を提供することができる。
【図面の簡単な説明】
【図１】本発明の一実施形態のレンズ鏡筒の主要構成部材を示す縦断面図であって、非撮影位置にある沈胴状態を示す図。
【図２】図１のレンズ鏡筒の主要構成部材を示す縦断面図であって、撮影位置にあり広角状態を示す図。
【図３】図１のレンズ鏡筒の主要構成部材を示す縦断面図であって、撮影位置にあり望遠状態を示す図。
【図４】図１のレンズ鏡筒の主要部材の概略構成を示す分解斜視図。
【図５】図１のレンズ鏡筒を構成する主要構成部材（第１・第２レンズ鏡枠）を各別に取り出して示す斜視図。
【図６】図１のレンズ鏡筒を構成する主要構成部材（Ｓ枠・第３レンズ鏡枠）を各別に取り出して示す斜視図。
【図７】図１のレンズ鏡筒を構成する主要構成部材（第４群補助枠・第４レンズ鏡枠・カム枠）を各別に取り出して示す斜視図。
【図８】図１のレンズ鏡筒を構成する主要構成部材（固定枠・取付枠）を各別に取り出して示す斜視図。
【図９】図１のレンズ鏡筒を構成する主要構成部材（カム枠駆動手段）を取り出して示す要部拡大斜視図。
【図１０】図１のレンズ鏡筒における第４群補助枠・第４レンズ鏡枠・第３レンズ鏡枠の連結状態を概念的に示す断面図。
【図１１】図１のレンズ鏡筒における第４群補助枠及びＡＦモータのみを取り出して、かつ第４群補助枠の一部を破砕して示す要部拡大斜視図。
【図１２】図１のレンズ鏡筒が各状態にあるときの各移動枠の位置関係を概念的に示す図であって、図１２（Ａ）は、非撮影時に各移動枠が格納位置にある沈胴状態、図１２（Ｂ）は、各移動枠が撮影状態にあり、短焦点（広角；ワイド）位置にある状態（Ｗｉｄｅ状態）、図１２（Ｃ）は、各移動枠が撮影状態にあり長焦点（又は望遠；テレ）位置にある状態（Ｔｅｌｅ状態）をそれぞれ示す図。
【図１３】図１のレンズ鏡筒における第１・第２レンズ鏡枠及びＳ枠の動作を示す要部概略断面図であって、図１３（Ａ）は非撮影位置にある沈胴状態、図１３（Ｂ）は撮影位置に状態（Ｗｉｄｅ状態）を示す図。
【図１４】本発明の第２の実施形態のレンズ鏡筒における第１・第２レンズ鏡枠及びＳ枠の動作を示す要部概略断面図。
【図１５】本発明の第３の実施形態のレンズ鏡筒における第１・第２レンズ鏡枠及びＳ枠の動作を示す要部概略断面図であって、撮影位置に位置決めされる直前の状態を示す図。
【図１６】本発明の第３の実施形態のレンズ鏡筒における第１・第２レンズ鏡枠及びＳ枠の動作を示す要部概略断面図であって、撮影位置に位置決めされた状態を示す図。
【符号の説明】
１……レンズ鏡筒
４……撮像素子
５……ズームモータ
６……ＡＦモータ
７……駆動力伝達部
８……ローパスフイルター（ＬＰＦ）
９……カットフイルター
１０……第１レンズ鏡枠（第１の移動枠）
１１……第１群レンズ
２０……第２レンズ鏡枠（第３の移動枠）
２０ｃ……溝部（移動方向規制手段）
２１……第２群レンズ
３０……第３レンズ鏡枠
３１……第３群レンズ
４０……第４レンズ鏡枠
４１……第４群レンズ
４５……第４群補助枠
５０……固定枠
５０ａ……Ｓ枠ストッパ部（位置規制手段；突部）
６０……カム枠
７０……取付枠
８０……シャッタ・絞りユニット保持枠（Ｓ枠；第２の移動枠）
８０ｉ……回転止部（移動方向規制手段）
８０ｆ……スラスト止部材（位置規制手段）
８０ｆａ……先端鉤部（位置規制手段；鉤状部）
８１……シャッタプランジャ（光量調整装置）
８２……絞りプランジャ（光量調整装置）
８３・８３Ａ……Ｓ枠吊（連動手段）
９４Ａ……第４ガイドシャフト（連動手段、規制手段）
９４ａ……ストッパ部材（Ｅリング；連動手段、規制手段）
【図１】
0003898827.tif 000002
【図２】
0003898827.tif 000003
【図３】
0003898827.tif 000004
【図４】
0003898827.tif 000005
【図５】
0003898827.tif 000006
【図６】
0003898827.tif 000007
【図７】
0003898827.tif 000008
【図８】
0003898827.tif 000009
【図９】
0003898827.tif 000010
【図１０】
0003898827.tif 000011
【図１１】
0003898827.tif 000012
【図１２】
0003898827.tif 000013
【図１３】
0003898827.tif 000014
【図１４】
0003898827.tif 000015
【図１５】
0003898827.tif 000016
【図１６】
0003898827.tif 000017